【手続補正書】
【提出日】平成25年3月27日(2013.3.27)
【手続補正１】
【補正対象書類名】明細書
【補正対象項目名】発明の名称
【補正方法】変更
【補正の内容】
【発明の名称】撮影装置及びプログラム
【手続補正２】
【補正対象書類名】明細書
【補正対象項目名】０００１
【補正方法】変更
【補正の内容】
【０００１】
本発明は、撮影装置及びプログラムに関する。
【手続補正３】
【補正対象書類名】明細書
【補正対象項目名】０００８
【補正方法】変更
【補正の内容】
【０００８】
そこで本発明は、上述した問題に鑑みてなされたもので、被写体の前に障害物がある状況をより正確に判別することができ、かつ被写体に合焦した画像を容易に撮影することができる撮影装置及びプログラムを提供することを目的とする。
【手続補正４】
【補正対象書類名】明細書
【補正対象項目名】０００９
【補正方法】変更
【補正の内容】
【０００９】
上記目的達成のため、請求項１記載の発明は、フォーカスレンズを有し、被写体像を撮影する撮影手段と、前記撮影手段で合焦させることができる範囲で、近端から遠端に至るまで所定のステップで前記フォーカスレンズを順次移動させる移動制御手段と、前記所定のステップ毎に、前記フォーカスレンズの位置での前記撮影手段による撮影画角内に設定された複数のフォーカシングエリアの合焦を検出する合焦検出手段と、前記近端から遠端に至るまでの全範囲において、前記合焦検出手段で検出された合焦したフォーカシングエリアとその時点での前記フォーカスレンズの位置とを対応付けて記憶する記憶手段と、前記合焦検出手段によって前記近端から遠端に至るまでの全範囲の検出動作が終了した後、前記記憶手段に記憶されている内容に基づいて、被写体に対する合焦位置を特定する被写体位置特定手段とを備えることを特徴とする撮影装置である。
【手続補正５】
【補正対象書類名】明細書
【補正対象項目名】００１０
【補正方法】変更
【補正の内容】
【００１０】
請求項２記載の発明は、フォーカスレンズを有し、被写体像を撮影する撮影手段と、前記撮影手段で合焦させることができる範囲で、近端から遠端に至るまで所定のステップで前記フォーカスレンズを順次移動させる移動制御手段と、前記所定のステップ毎に、前記フォーカスレンズの位置での前記撮影手段による撮影画角内に設定された複数のフォーカシングエリアの合焦を検出する合焦検出手段と、前記合焦検出手段によって検出された前記複数のフォーカシングエリアでの合焦結果に基づいて、被写体に対する合焦位置を特定する被写体位置特定手段とを備え、前記複数のフォーカシングエリアは、互いに離間した位置に設定されており、前記被写体位置特定手段は、前記合焦検出手段にて前記近端から遠端に至るまでの間にいずれのフォーカシングエリアでも合焦が検出されなかった場合は、予め決められている特定の位置に被写体が存在すると見做すことを特徴とする撮影装置である。
【手続補正６】
【補正対象書類名】明細書
【補正対象項目名】００１１
【補正方法】変更
【補正の内容】
【００１１】
請求項３記載の発明は、フォーカスレンズを有し、被写体像を撮影する撮影手段と、前記撮影手段で合焦させることができる範囲で、近端から遠端に至るまで所定のステップで前記フォーカスレンズを順次移動させる移動制御手段と、前記所定のステップ毎に、前記フォーカスレンズの位置での前記撮影手段による撮影画角内に設定された複数のフォーカシングエリアの合焦を検出する合焦検出手段と、前記フォーカスレンズの位置と、前記合焦検出手段によって検出された合焦したフォーカシングエリアの分布状態とに基づいて、被写体に対する合焦位置を特定する被写体位置特定手段とを備えることを特徴とする撮影装置である。
【手続補正７】
【補正対象書類名】明細書
【補正対象項目名】００１２
【補正方法】変更
【補正の内容】
【００１２】
請求項４記載の発明は、フォーカスレンズを有し、被写体像を撮影する撮影手段と、前記撮影手段で合焦させることができる範囲で、近端から遠端に至るまで所定のステップで前記フォーカスレンズを順次移動させる移動制御手段と、前記所定のステップ毎に、前記フォーカスレンズの位置での前記撮影手段による撮影画角内に設定された複数のフォーカシングエリアの合焦を検出する合焦検出手段と、前記合焦検出手段によって検出された前記複数のフォーカシングエリアでの合焦結果に基づいて、被写体に対する合焦位置を特定する被写体位置特定手段とを備え、前記被写体位置特定手段は、前記合焦検出手段によって前記複数のフォーカシングエリアの全てで合焦が検出された場合、そのフォーカスレンズの位置以外で、前記合焦検出手段によって前記複数のフォーカシングエリアのいずれかで合焦が検出された前記フォーカスレンズの位置を、被写体に対する合焦位置とすることを特徴とする撮影装置である。
【手続補正８】
【補正対象書類名】明細書
【補正対象項目名】００１３
【補正方法】変更
【補正の内容】
【００１３】
請求項５記載の発明は、フォーカスレンズを有し、被写体像を撮影する撮影手段を備える撮影装置のコンピュータに、前記撮影手段で合焦させることができる範囲で、近端から遠端に至るまで所定のステップで前記フォーカスレンズを順次移動させる移動制御機能、前記所定のステップ毎に、前記フォーカスレンズの位置での前記撮影手段による撮影画角内に設定された複数のフォーカシングエリアの合焦を検出する合焦検出機能、前記近端から遠端に至るまでの全範囲において、前記合焦検出機能で検出された合焦したフォーカシングエリアとその時点での前記フォーカスレンズの位置とを対応付けて記憶手段に記憶する記憶機能、前記合焦検出機能によって前記近端から遠端に至るまでの全範囲の検出動作が終了した後、前記記憶手段に記憶されている内容に基づいて、被写体に対する合焦位置を特定する被写体位置特定機能を実行させることを特徴とするプログラムである。
【手続補正９】
【補正対象書類名】明細書
【補正対象項目名】００１４
【補正方法】変更
【補正の内容】
【００１４】
請求項６記載の発明は、フォーカスレンズを有し、被写体像を撮影する撮影手段を備える撮影装置のコンピュータに、前記撮影手段で合焦させることができる範囲で、近端から遠端に至るまで所定のステップで前記フォーカスレンズを順次移動させる移動制御機能、前記所定のステップ毎に、前記フォーカスレンズの位置での前記撮影手段による撮影画角内に設定された複数のフォーカシングエリアの合焦を検出する合焦検出機能、前記合焦検出機能によって検出された前記複数のフォーカシングエリアでの合焦結果に基づいて、被写体に対する合焦位置を特定する被写体位置特定機能を実行させるプログラムであり、前記複数のフォーカシングエリアは、互いに離間した位置に設定されており、前記被写体位置特定機能は、前記合焦検出機能にて前記近端から遠端に至るまでの間にいずれのフォーカシングエリアでも合焦が検出されなかった場合は、予め決められている特定の位置に被写体が存在すると見做すことを特徴とするプログラムである。
【手続補正１０】
【補正対象書類名】明細書
【補正対象項目名】００１５
【補正方法】変更
【補正の内容】
【００１５】
請求項７記載の発明は、フォーカスレンズを有し、被写体像を撮影する撮影手段を備える撮影装置のコンピュータに、前記撮影手段で合焦させることができる範囲で、近端から遠端に至るまで所定のステップで前記フォーカスレンズを順次移動させる移動制御機能、前記所定のステップ毎に、前記フォーカスレンズの位置での前記撮影手段による撮影画角内に設定された複数のフォーカシングエリアの合焦を検出する合焦検出機能、前記フォーカスレンズの位置と、前記合焦検出機能によって検出された合焦したフォーカシングエリアの分布状態とに基づいて、被写体に対する合焦位置を特定する被写体位置特定機能を実行させることを特徴とするプログラムである。
【手続補正１１】
【補正対象書類名】明細書
【補正対象項目名】００１６
【補正方法】変更
【補正の内容】
【００１６】
請求項８記載の発明は、フォーカスレンズを有し、被写体像を撮影する撮影手段を備える撮影装置のコンピュータに、前記撮影手段で合焦させることができる範囲で、近端から遠端に至るまで所定のステップで前記フォーカスレンズを順次移動させる移動制御機能、前記所定のステップ毎に、前記フォーカスレンズの位置での前記撮影手段による撮影画角内に設定された複数のフォーカシングエリアの合焦を検出する合焦検出機能、前記合焦検出機能によって検出された前記複数のフォーカシングエリアでの合焦結果に基づいて、被写体に対する合焦位置を特定する被写体位置特定機能を実行させるプログラムであり、前記被写体位置特定機能は、前記合焦検出機能によって前記複数のフォーカシングエリアの全てで合焦が検出された場合、そのフォーカスレンズの位置以外で、前記合焦検出機能によって前記複数のフォーカシングエリアのいずれかで合焦が検出された前記フォーカスレンズの位置を、被写体に対する合焦位置とすることを特徴とするプログラムである。
【手続補正１２】
【補正対象書類名】特許請求の範囲
【補正対象項目名】全文
【補正方法】変更
【補正の内容】
【特許請求の範囲】
【請求項１】
フォーカスレンズを有し、被写体像を撮影する撮影手段と、
前記撮影手段で合焦させることができる範囲で、近端から遠端に至るまで所定のステップで前記フォーカスレンズを順次移動させる移動制御手段と、
前記所定のステップ毎に、前記フォーカスレンズの位置での前記撮影手段による撮影画角内に設定された複数のフォーカシングエリアの合焦を検出する合焦検出手段と、
前記近端から遠端に至るまでの全範囲において、前記合焦検出手段で検出された合焦したフォーカシングエリアとその時点での前記フォーカスレンズの位置とを対応付けて記憶する記憶手段と、
前記合焦検出手段によって前記近端から遠端に至るまでの全範囲の検出動作が終了した後、前記記憶手段に記憶されている内容に基づいて、被写体に対する合焦位置を特定する被写体位置特定手段と
を備えることを特徴とする撮影装置。
【請求項２】
フォーカスレンズを有し、被写体像を撮影する撮影手段と、
前記撮影手段で合焦させることができる範囲で、近端から遠端に至るまで所定のステップで前記フォーカスレンズを順次移動させる移動制御手段と、
前記所定のステップ毎に、前記フォーカスレンズの位置での前記撮影手段による撮影画角内に設定された複数のフォーカシングエリアの合焦を検出する合焦検出手段と、
前記合焦検出手段によって検出された前記複数のフォーカシングエリアでの合焦結果に基づいて、被写体に対する合焦位置を特定する被写体位置特定手段と
を備え、
前記複数のフォーカシングエリアは、互いに離間した位置に設定されており、
前記被写体位置特定手段は、前記合焦検出手段にて前記近端から遠端に至るまでの間にいずれのフォーカシングエリアでも合焦が検出されなかった場合は、予め決められている特定の位置に被写体が存在すると見做すことを特徴とする撮影装置。
【請求項３】
フォーカスレンズを有し、被写体像を撮影する撮影手段と、
前記撮影手段で合焦させることができる範囲で、近端から遠端に至るまで所定のステップで前記フォーカスレンズを順次移動させる移動制御手段と、
前記所定のステップ毎に、前記フォーカスレンズの位置での前記撮影手段による撮影画角内に設定された複数のフォーカシングエリアの合焦を検出する合焦検出手段と、
前記フォーカスレンズの位置と、前記合焦検出手段によって検出された合焦したフォーカシングエリアの分布状態とに基づいて、被写体に対する合焦位置を特定する被写体位置特定手段と
を備えることを特徴とする撮影装置。
【請求項４】
フォーカスレンズを有し、被写体像を撮影する撮影手段と、
前記撮影手段で合焦させることができる範囲で、近端から遠端に至るまで所定のステップで前記フォーカスレンズを順次移動させる移動制御手段と、
前記所定のステップ毎に、前記フォーカスレンズの位置での前記撮影手段による撮影画角内に設定された複数のフォーカシングエリアの合焦を検出する合焦検出手段と、
前記合焦検出手段によって検出された前記複数のフォーカシングエリアでの合焦結果に基づいて、被写体に対する合焦位置を特定する被写体位置特定手段と
を備え、
前記被写体位置特定手段は、前記合焦検出手段によって前記複数のフォーカシングエリアの全てで合焦が検出された場合、そのフォーカスレンズの位置以外で、前記合焦検出手段によって前記複数のフォーカシングエリアのいずれかで合焦が検出された前記フォーカスレンズの位置を、被写体に対する合焦位置とすることを特徴とする撮影装置。
【請求項５】
フォーカスレンズを有し、被写体像を撮影する撮影手段を備える撮影装置のコンピュータに、
前記撮影手段で合焦させることができる範囲で、近端から遠端に至るまで所定のステップで前記フォーカスレンズを順次移動させる移動制御機能、
前記所定のステップ毎に、前記フォーカスレンズの位置での前記撮影手段による撮影画角内に設定された複数のフォーカシングエリアの合焦を検出する合焦検出機能、
前記近端から遠端に至るまでの全範囲において、前記合焦検出機能で検出された合焦したフォーカシングエリアとその時点での前記フォーカスレンズの位置とを対応付けて記憶手段に記憶する記憶機能、
前記合焦検出機能によって前記近端から遠端に至るまでの全範囲の検出動作が終了した後、前記記憶手段に記憶されている内容に基づいて、被写体に対する合焦位置を特定する被写体位置特定機能
を実行させることを特徴とするプログラム。
【請求項６】
フォーカスレンズを有し、被写体像を撮影する撮影手段を備える撮影装置のコンピュータに、
前記撮影手段で合焦させることができる範囲で、近端から遠端に至るまで所定のステップで前記フォーカスレンズを順次移動させる移動制御機能、
前記所定のステップ毎に、前記フォーカスレンズの位置での前記撮影手段による撮影画角内に設定された複数のフォーカシングエリアの合焦を検出する合焦検出機能、
前記合焦検出機能によって検出された前記複数のフォーカシングエリアでの合焦結果に基づいて、被写体に対する合焦位置を特定する被写体位置特定機能
を実行させるプログラムであり、
前記複数のフォーカシングエリアは、互いに離間した位置に設定されており、
前記被写体位置特定機能は、前記合焦検出機能にて前記近端から遠端に至るまでの間にいずれのフォーカシングエリアでも合焦が検出されなかった場合は、予め決められている特定の位置に被写体が存在すると見做すことを特徴とするプログラム。
【請求項７】
フォーカスレンズを有し、被写体像を撮影する撮影手段を備える撮影装置のコンピュータに、
前記撮影手段で合焦させることができる範囲で、近端から遠端に至るまで所定のステップで前記フォーカスレンズを順次移動させる移動制御機能、
前記所定のステップ毎に、前記フォーカスレンズの位置での前記撮影手段による撮影画角内に設定された複数のフォーカシングエリアの合焦を検出する合焦検出機能、
前記フォーカスレンズの位置と、前記合焦検出機能によって検出された合焦したフォーカシングエリアの分布状態とに基づいて、被写体に対する合焦位置を特定する被写体位置特定機能
を実行させることを特徴とするプログラム。
【請求項８】
フォーカスレンズを有し、被写体像を撮影する撮影手段を備える撮影装置のコンピュータに、
前記撮影手段で合焦させることができる範囲で、近端から遠端に至るまで所定のステップで前記フォーカスレンズを順次移動させる移動制御機能、
前記所定のステップ毎に、前記フォーカスレンズの位置での前記撮影手段による撮影画角内に設定された複数のフォーカシングエリアの合焦を検出する合焦検出機能、
前記合焦検出機能によって検出された前記複数のフォーカシングエリアでの合焦結果に基づいて、被写体に対する合焦位置を特定する被写体位置特定機能
を実行させるプログラムであり、
前記被写体位置特定機能は、前記合焦検出機能によって前記複数のフォーカシングエリアの全てで合焦が検出された場合、そのフォーカスレンズの位置以外で、前記合焦検出機能によって前記複数のフォーカシングエリアのいずれかで合焦が検出された前記フォーカスレンズの位置を、被写体に対する合焦位置とすることを特徴とするプログラム。